(57)【要約】【課題】  意匠性に優れた浴室床面構造を提供する。【解決手段】  作業口が洗い場側に形成された浴室用床パン１と、外周３辺に一段低い段部８ａを有する蓋８と、該蓋８を前記段部８ａにて前記浴室用床パン１に固定する固定部材１０，１１と、前記段部８ａに嵌め込まれる長尺カバー１２とからなり、該長尺カバー１２の上面は、外側が浴室壁１３に当接し、かつ前記蓋８の上面と略面一となるようにした。【選択図】  図２
2006274684.tif 000002
【特許請求の範囲】
【請求項１】
作業口が洗い場側に形成された浴室用床パンと、
外周３辺に一段低い段部を有する蓋と、
該蓋を前記段部にて前記浴室用床パンに固定する固定部材と、
前記段部に嵌め込まれる長尺カバーとからなり、
該長尺カバーの上面は、外側が浴室壁に当接し、かつ前記蓋の上面と略面一となるようにしたことを特徴とする浴室床面構造。
【発明の詳細な説明】
【技術分野】
【０００１】
本発明は、浴室床面の構造に関するものである。
【背景技術】
【０００２】
従来、特許文献１に開示されているように、浴室の床パンの洗い場側の開口部に、開口塞ぎ蓋を設けたものが存在する。
【特許文献１】特開２００２−２９４７８４号公報
【発明の開示】
【発明が解決しようとする課題】
【０００３】
特許文献１に開示されている開口塞ぎ蓋では、その外周と浴室の壁間に段差等が生じ、意匠性に乏しいという問題点があった。
また、従来、開口塞ぎ蓋等を床パンにボルト或いはビスを用いて固定する際に、ビスやボルトの頭部にキャップを被せて目立たないように工夫しているが、ビスやボルトを隠すためのキャップが洗い場に点在して、見栄えが悪くなってしまうという問題点があった。
【課題を解決するための手段】
【０００４】
本発明は上記従来の問題点に鑑み案出したものであって、意匠性に優れた浴室床面構造を提供せんとするものであり、その請求項１は、作業口が洗い場側に形成された浴室用床パンと、外周３辺に一段低い段部を有する蓋と、該蓋を前記段部にて前記浴室用床パンに固定する固定部材と、前記段部に嵌め込まれる長尺カバーとからなり、該長尺カバーの上面は、外側が浴室壁に当接し、かつ前記蓋の上面と略面一となるようにしたことである。
【発明の効果】
【０００５】
本発明の浴室床面構造は、作業口が洗い場側に形成された浴室用床パンと、外周３辺に一段低い段部を有する蓋と、蓋を段部にて浴室用床パンに固定する固定部材と、段部に嵌め込まれる長尺カバーとからなり、長尺カバーの上面は、外側が浴室壁に当接し、かつ蓋の上面と略面一となるようにしたことにより、浴室用床パンの洗い場側には作業口が開口されているため、施工時に浴室用床パンの作業口から下方の配管の接続作業等を容易に行なうことができ、作業性が良好なものとなり、この作業口上には別部材の蓋が被されて覆蓋され、蓋が固定部材で浴室用床パンに固定されるが、この固定部材は長尺カバーで隠蔽されて露出することがなく、また、長尺カバーは浴室の壁側に沿って蓋に面一状に嵌め込まれて、極めてスッキリとした洗い場が施工されることとなり、洗い場の意匠性が極めて向上したものとなる。
【実施例】
【０００６】
以下、本発明の実施例を図面に基づいて説明する。
図１は、床パンと、蓋の分解平面構成図である。
図において、床パン１には、浴槽を設置する浴槽設置側部２と、洗い場側部３が、堤防部４で仕切られて形成され、堤防部４の洗い場側部３側には排水口５が形成されている。
洗い場側部３には、大径の作業点検口３ａが形成されており、その作業点検口３ａの回りには、蓋載せ部３ｂが形成され、洗い場側部３の堤防部４側を除く外周３辺には蓋載せ部の固設面３ｃ，３ｃ，３ｃが形成されており、この固設面３ｃの外周側には、立ち上げ状に外周水切り部３ｆが一体形成されている。
【０００７】
なお、図２の断面拡大図で示すように、蓋載せ部の固設面３ｃには間隔をおいてボス部３ｅが垂下状に一体形成されており、このボス部３ｅには、ボルト孔３ｄがそれぞれ形成されている。また、固設面３ｃの底側にはフレーム３ｇが配設されている。
【０００８】
この床パン１の洗い場側部３の作業点検口３ａの外周には、予めシール材６ａが上面に貼設等されており、また、蓋載せ部の固設面３ｃの内周及び堤防部４の内周側にも、予めシール材６ｂが貼設されている。また、３辺の蓋載せ部の固設面３ｃ，３ｃ，３ｃ上には、緩衝材７を敷設しておくことができる。
【０００９】
洗い場側部３の蓋載せ部３ｂ上に載せられて作業点検口３ａを覆蓋することのできる蓋８は、その上面が洗い場面を形成するものであり、堤防側辺８ｂを除く外周側３辺には、一段低く段部８ａが形成されており、この外周３辺の段部８ａには、間隔をおいて前記ボルト孔３ｄと整合する位置にボルト孔８ｄ，８ｄ，８ｄが形成されている。
なお、堤防側辺８ｂの中央部には、排水口５に対応した凹み状の排水口凹部８ｃが形成されている。
【００１０】
なお、図２の断面拡大図で示すように、段部８ａの内周側の裏側には、垂下状に止水リブ８ｅが一体形成されており、この止水リブ８ｅが、床パン１上に敷設されたシール材６ｂ上に載るように構成されている。
例えば、浴室をリフォームする際等に、浴室のスラブ面上に配管部材を仮置きしておき、そのスラブ面上に図１の床パン１を設置し、その状態で、作業点検口３ａが大きく開口されているため、この作業点検口３ａより下方の配管の接続作業等を行ない、また、床パン１のボルト足を調整して、床パン１の高さ調整を良好に行なえ、作業性が向上するものとなる。
【００１１】
配管接続等が終了した後に、床パン１の洗い場側部３上に、図１に示すような別体の蓋８を被せて、この蓋８により洗い場面を形成させるのである。
なお、図２の断面拡大図は、図１におけるＡ−Ａ線断面拡大図であり、また図３は、Ｂ−Ｂ線拡大断面図である。
【００１２】
図２に示すように、蓋８を被せた状態では、蓋８の止水リブ８ｅが床パン１上のシール材６ｂ上に当接し、また、緩衝材７上に蓋８の段部８ａが載った状態となる。
この状態で、蓋８のボルト孔８ｄ及び床パン１のボルト孔３ｄにボルト１０をネジ込んでボルト１０を固定させ、複数のボルト１０を間隔をおいてそれぞれ固定させておき、蓋８の段部８ａ上には長尺受け材９を嵌め込んで、この長尺受け材９上より、ボルト１０にそれぞれナット１１を締め付けて、ナット１１の締め付けにより蓋８の段部８ａを長尺受け材９とともに床パン１に固定する。
【００１３】
複数のボルト１０にそれぞれナット１１を締め付けて、複数箇所で蓋８を床パン１に固定した後に、長尺受け材９の上方より、長尺カバー１２を段部８ａ内に嵌め込んで、長尺カバー１２によりボルト１０の上端及びナット１１を隠蔽させる。
この長尺カバー１２が段部８ａへ嵌め込まれた状態では、蓋８の上面と長尺カバー１２の上面が面一状となり、長尺カバー１２の外側は、床パン１の外周水切り部３ｆ上に立設された浴室の壁１３に当接状となる。
【００１４】
なお、長尺カバー１２には、垂下状に係合片１２ａが少なくとも一対形成されており、前記長尺受け材９には、係合片１２ａが係合する鈎状の鈎片９ａが立設されており、上方から長尺カバー１２を長尺受け材９に嵌め込むことで、鈎片９ａに係合片１２ａがカチンと係合して一体化されるものである。
なお、長尺受け材９及び長尺カバー１２は、押出成形等で長尺に形成されており、例えば、蓋８の外周側３辺のそれぞれの段部８ａ上に、長尺受け材９及び長尺カバー１２が設けられるものである。
【００１５】
長尺カバー１２を段部８ａに上面が面一となるように嵌め込んだ後に、長尺カバー１２と蓋８間にはコーキング１４ａが施されてシールされるものであり、また、長尺カバー１２と壁１３の当接部にもコーキング１４ｂが施されてシールされるものである。
【００１６】
このように床パン１上に別体の蓋８を覆設し、さらに、蓋８を床パン１に固定するボルト１０及びナット１１を覆蓋できる長尺カバー１２を、蓋８の外周３辺に壁１３に当接させた状態で嵌め込んで、極めてスッキリとした洗い場面を形成させることができるものである。
即ち、ボルト１０及びナット１１は完全に隠蔽され、壁１３際に沿って洗い場の外周には長尺カバー１２が配設されて、意匠性に優れた洗い場面を構築することができるものとなる。
【図面の簡単な説明】
【００１７】
【図１】床パンと別体の蓋の分解平面構成図である。
【図２】図１の蓋を被せた状態のＡ−Ａ線断面拡大構成図である。
【図３】図１の蓋を被せた状態のＢ−Ｂ線断面拡大構成図である。
【符号の説明】
【００１８】
１  浴室用床パン
２  浴槽設置側部
３  洗い場側部
３ａ  作業点検口
３ｂ  蓋載せ部
３ｃ  蓋載せ部の固設面
３ｄ  ボルト孔
３ｅ  ボス部
３ｆ  外周水切り部
４  堤防部
６ａ，６ｂ  シール材
７  緩衝材
８  蓋
８ａ  段部
８ｂ  堤防側辺
８ｄ  ボルト孔
８ｅ  止水リブ
９  長尺受け材
９ａ  鈎片
１０  ボルト
１１  ナット
１２  長尺カバー
１２ａ  係合片
１３  壁
【図１】
2006274684.tif 000003
【図２】
2006274684.tif 000004
【図３】
2006274684.tif 000005